(57)【特許請求の範囲】
【請求項１】
引き出し型メジャーとカメラを内蔵した携帯端末にあって、
前記携帯端末は、前記携帯端末から引き出された前記メジャーの目盛りを前記カメラによって読みとることにより長さを算出することを特徴とする携帯端末を用いた測定方法。
【請求項２】
引き出し型メジャーとカメラを内蔵した携帯端末にあって、
前記携帯端末は、前記メジャーが前記携帯端末から引き出されると前記カメラを起動し、
起動した前記カメラに引き出された前記メジャーに印された目盛りをスキャンさせ、
スキャンされた前記目盛りを勘定することにより長さを算出することを特徴とする携帯端末を用いた測定方法。
【請求項３】
引き出された前記メジャーは前記カメラのレンズの上を通過することを特徴とする請求項１または２記載の携帯端末を用いた測定方法。
【請求項４】
前記携帯端末は、測定した長さの値を前記携帯端末に予め備えられた記憶部に格納することを特徴とする請求項１または２記載の携帯端末を用いた測定方法。
【請求項５】
前記目盛りは長さ測定用の目盛りであることを特徴とする請求項１または２記載の携帯端末を用いた測定方法。
【請求項６】
前記携帯端末は、前記メジャーの引き出し時の張力を設定できる張力変更部を予め備え、
前記測定の開始に当たって、前記張力変更部の設定値を予め決められた長さ測定用の値にセットすることを特徴とする請求項１または２記載の携帯端末を用いた測定方法。
【請求項７】
引き出し型メジャーとカメラを内蔵した携帯端末にあって、前記携帯端末は、前記メジャーが前記携帯端末から引き出されると、前記カメラによって読みとられた前記メジャーの目盛りから長さを算出する長さ計算手段を有することを特徴とする携帯端末。
【請求項８】
引き出し型メジャーとカメラを内蔵した携帯端末にあって、
前記携帯端末は、前記メジャーが前記携帯端末から引き出されると前記カメラを起動する測定開始検出手段と、
起動されると引き出された前記メジャーに印された目盛りをスキャンする前記カメラと、
前記カメラによってスキャンされた前記目盛りを勘定することにより長さを算出する長さ計算手段を有することを特徴とする携帯端末。
【請求項９】
引き出された前記メジャーは前記カメラのレンズの上を通過することを特徴とする請求項７または８記載の携帯端末。
【請求項１０】
前記携帯端末は、測定した長さの値を前記携帯端末に予め備えられた記憶部に格納することを特徴とする請求項７または８記載の携帯端末。
【請求項１１】
前記目盛りは長さ測定用の目盛りであることを特徴とする請求項７または８記載の携帯端末。
【請求項１２】
前記携帯端末は、前記メジャーの引き出し時の張力を設定できる張力変更部を予め備え、
前記測定の開始に当たって、前記張力変更部の設定値を予め決められた長さ測定用の値にセットすることを特徴とする請求項７または８記載の携帯端末。
【発明の詳細な説明】
【技術分野】
【０００１】
本発明は携帯端末を用いた測定方法及び携帯端末に関し、特に、携帯電話機に長さや重さを測ることのできる引き出し型メジャーを内蔵し、引き出されたメジャーの目盛りを内蔵カメラを用いてスキャンすることにより、長さや重量を測ることができる携帯電話機を用いた測定方法及び携帯電話機に関する。
【背景技術】
【０００２】
猟や釣りでは、現場で獲物の寸法をはかったり、重量をはかる必要がある場合が多い。そのため、携帯用の計量器が開発されている（例えば、特許文献１参照。）。この計量器は、携帯性に優れ、獲物をつるすためのフック、引き出し可能に収容された物差しを有している。さらに、獲物の重量をはかる荷重計測手段、引き出された長さをはかる長さ計測手段、重さデータや長さデータを表示する表示手段等を備えている。
【０００３】
一方、携帯電話機は、今では国民のほとんどが所有しており、外出時は、所持している場合が多い。この携帯電話機に、寸法や重量の計測機能を具備していれば、非常に便利である。
【０００４】
【特許文献１】特開平１０−２８８５４５号公報
【発明の開示】
【発明が解決しようとする課題】
【０００５】
携帯電話機に寸法や重量の計測機能を具備させるには、携帯電話機に上述した計量器を合体させればよい。しかし、携帯電話機は、軽量及びコンパクトである必要があり、各社は、その軽量化及びコンパクト化にしのぎを削っている状況である。そのような状況で、上述のハードウエア制御の計量器を携帯電話機にそのまま合体させたのでは、携帯電話機の容量もかさばるとともに、重量も増すという問題があった。
【０００６】
本発明は、携帯電話機に計測機能を具備させる場合、容量や重量の増大を極力抑えることを目的とする。本発明は、そのために、携帯電話機の内蔵カメラを用いて長さや重量を測ることができるようにした携帯電話機機を用いた測定方法及び携帯電話機を提供する。
【課題を解決するための手段】
【０００７】
本願の第１の発明は、引き出し型メジャーとカメラを内蔵した携帯端末にあって、前記携帯端末は、前記携帯端末から引き出された前記メジャーの目盛りを前記カメラによって読みとることにより長さを算出することを特徴とする。
【０００８】
本願の第２の発明は、引き出し型メジャーとカメラを内蔵した携帯端末にあって、前記携帯端末は、前記メジャーが前記携帯端末から引き出されると前記カメラを起動し、起動した前記カメラに引き出された前記メジャーに印された目盛りをスキャンさせ、スキャンされた前記目盛りを勘定することにより長さを算出することを特徴とする。
【０００９】
本願の第３の発明は、第１及び第２の発明の引き出された前記メジャーは前記カメラのレンズの上を通過することを特徴とする。
【００１０】
本願の第４の発明は、第１及び第２の発明の前記携帯端末は、測定した長さの値を前記携帯端末に予め備えられた記憶部に格納することを特徴とする。
【００１１】
本願の第５の発明は、第１及び第２の発明の前記目盛りは長さ測定用の目盛りであることを特徴とする。
【００１２】
本願の第６の発明は、第１及び第２の発明の前記携帯端末は、前記メジャーの引き出し時の張力を設定できる張力変更部を予め備え、前記測定の開始に当たって、前記張力変更部の設定値を予め決められた長さ測定用の値にセットすることを特徴とする。
【００１３】
本願の第７の発明は、引き出し型メジャーとカメラを内蔵した携帯端末にあって、前記携帯端末は、前記携帯端末から引き出された前記メジャーの目盛りを前記携帯端末の前記カメラを用いて読みとることにより、重さを算出することを特徴とする。
【００１４】
本願の第８の発明は、引き出し型メジャーとカメラを内蔵した携帯端末にあって、前記携帯端末は、前記メジャーが前記携帯端末から引き出されると前記カメラを起動し、起動した前記カメラに引き出された前記メジャーに印された目盛りをスキャンさせ、スキャンされた前記目盛りを勘定することにより重さを算出することを特徴とする。
【００１５】
本願の第９の発明は、第７及び第８の発明の引き出された前記メジャーは前記カメラのレンズの上を通過することを特徴とする。
【００１６】
本願の第１０の発明は、第７及び第８の発明の前記携帯端末は、測定した重さの値を前記携帯端末に予め備えられた記憶部に格納することを特徴とする。
【００１７】
本願の第１１の発明は、第７及び第８の発明の前記目盛りは重さ測定用の目盛りであることを特徴とする。
【００１８】
本願の第１２の発明は、第７及び第８の発明の前記携帯端末は、前記メジャーの引き出し時の張力を設定できる張力変更部を予め備え、前記測定の開始に当たって、前記張力変更部の設定値を予め決められた重さ測定用の値にセットすることを特徴とする。
【００１９】
本願の第１３の発明は、引き出し型メジャーとカメラを内蔵した携帯端末にあって、前記携帯端末は、前記メジャーが前記携帯端末から引き出されると、前記カメラによって読みとられた前記メジャーの目盛りから長さを算出する長さ計算手段を有することを特徴とする。
【００２０】
本願の第１４の発明は、引き出し型メジャーとカメラを内蔵した携帯端末にあって、前記携帯端末は、前記メジャーが前記携帯端末から引き出されると前記カメラを起動する測定開始検出手段と、起動されると引き出された前記メジャーに印された目盛りをスキャンする前記カメラと、前記カメラによってスキャンされた前記目盛りを勘定することにより長さを算出する長さ計算手段を有することを特徴とする。
【００２１】
本願の第１５の発明は、第１３及び第１４の発明の引き出された前記メジャーは前記カメラのレンズの上を通過することを特徴とする。
【００２２】
本願の第１６の発明は、第１３及び第１４の発明の前記携帯端末は、測定した長さの値を前記携帯端末に予め備えられた記憶部に格納することを特徴とする。
【００２３】
本願の第１７の発明は、第１３及び第１４の発明の前記目盛りは長さ測定用の目盛りであることを特徴とする。
【００２４】
本願の第１８の発明は、第１３及び第１４の発明の前記携帯端末は、前記メジャーの引き出し時の張力を設定できる張力変更部を予め備え、前記測定の開始に当たって、前記張力変更部の設定値を予め決められた長さ測定用の値にセットすることを特徴とする。
【００２５】
本願の第１９の発明は、引き出し型メジャーとカメラを内蔵した携帯端末にあって、前記携帯端末は、前記メジャーが前記携帯端末から引き出されると、前記カメラによって読みとられた前記メジャーの目盛りから重さを算出する重さ計算手段を有することを特徴とする。
【００２６】
本願の第２０の発明は、引き出し型メジャーとカメラを内蔵した携帯端末にあって、前記携帯端末は、前記メジャーが前記携帯端末から引き出されると前記カメラを起動する測定開始検出手段と、起動されると引き出された前記メジャーに印された目盛りをスキャンする前記カメラと、前記カメラによってスキャンされた前記目盛りを勘定することにより重さを算出する重さ計算手段を有することを特徴とする。
【００２７】
本願の第２１の発明は、第１９及び第２０の発明の引き出された前記メジャーは前記カメラのレンズの上を通過することを特徴とする。
【００２８】
本願の第２２の発明は、第１９及び第２０の発明の前記携帯端末は、測定した重さの値を前記携帯端末に予め備えられた記憶部に格納することを特徴とする。
【００２９】
本願の第２３の発明は、第１９及び第２０の発明の前記目盛りは重さ測定用の目盛りであることを特徴とする。
【００３０】
本願の第２４の発明は、第１９及び第２０の発明の前記携帯端末は、前記メジャーの引き出し時の張力を設定できる張力変更部を予め備え、前記測定の開始に当たって、前記張力変更部の設定値を予め決められた重さ測定用の値にセットすることを特徴とする。
【００３１】
本願の第２５の発明は、引き出し型メジャーとカメラを内蔵した携帯端末にあって、前記携帯端末は、メニューを表示するメニュー表示手段と、前記メジャーが前記携帯端末から引き出されると前記カメラを起動する測定開始検出手段と、前記メニューで選択された項目が長さの測定であった場合起動されると引き出された前記メジャーに印された長さの目盛りをスキャンし、前記メニューで選択された項目が重さの測定であった場合起動されると引き出された前記メジャーに印された重さの目盛りをスキャンする前記カメラと、前記カメラによってスキャンされた前記目盛りを勘定することにより、前記メニューで選択された項目が長さの測定であった場合長さを算出し、前記メニューで選択された項目が重さの測定であった場合重さを算出する計算手段を有することを特徴とする。
【発明の効果】
【００３２】
本発明は、携帯電話機に計測機能を具備させる場合、容量や重量の増大を極力抑えることができる効果がある。その理由は、携帯電話機の内蔵カメラを用いて長さや重量を測ることができるようにしたためである。
【発明を実施するための最良の形態】
【００３３】
次に、本発明を実施するための最良の形態について図面を参照して詳細に説明する。
【００３４】
図１は、本発明の一実施の形態を示す携帯電話機１００の外観図である。
【００３５】
携帯電話機１００は、背面表示パネル１００５ｂと、携帯電話機１００に内蔵されたカメラ１００９、測定メジャー１００Ａ、メジャーガイド１００Ｂを有している。背面表示パネル１００５ｂは、カラー表示可能である。測定メジャー１００Ａは帯状で、使わないときは携帯電話機１００内部に巻くようにして格納されている。引き出すときはメジャーガイド１００Ｂをくぐらすことにより、カメラの真上を通過させるように配置されている。
【００３６】
図２は、本発明の携帯電話機１００の構成例を示すブロック図である。
【００３７】
携帯電話機１００は、制御部１００１、電源１００２、無線部１００３、記憶部１００４、メイン表示パネル１００５ｍ、背面表示パネル１００５ｂを備えている。携帯電話機１００は、さらに、レシーバ１００６、マイク１００７、キー１００８、カメラ１００９、測定メジャー１００Ａ、張力変更部１０１を備えている。
【００３８】
制御部１００１は、携帯電話機１００の全体を制御する。電源１００２は、携帯電話機１００の動力源となる。無線部１００３は、携帯電話機１００と基地局とのやり取りを制御する。記憶部１００４は、プログラム自体のデータやプログラムが処理するデータ、携帯電話機１００の設定内容を保持する。メイン表示パネル１００５ｍおよび背面表示パネル１００５ｂは、文字や静止画および動画をカラー表示する。レシーバ１００６は、着信者が発信者の声を聴くための機器である。マイク１００７は、携帯電話機１００の発信者の声を取り込むための機器である。キー１００８は、電話番号や文字の入力や、携帯電話機１００の操作をするためのものである。カメラ１００９は、画像を取り込むためのものである。測定メジャー１００Ａは、引き出し可能のメジャーである。張力変更部１０１は、測定メジャー１００Ａの張力を、測定が長さと重量の場合によって切り替える機能を有する。
【００３９】
制御部１００１は、記憶部１００４に格納されたプログラムや設定内容に基づき動作する。制御部１００１は、キー１００９による操作より、レシーバ１００７とマイク１００８と無線部１００３を制御して通話を可能にする。また、制御部１００１は、無線部１００３が音声以外のデータを受信した場合、一旦記憶部１００４にデータを格納する。そして、制御部１００１は、受信データが文字や画像のデータなら、適当なデータ形式に変換して、メイン表示パネル１００５ｍもしくは背面表示パネル１００５ｂに出力させる。また、制御部１００１は、キー１００９からの入力内容を記憶部１００４に格納し、処理結果をメイン表示パネル１００５ｍに出力する。また、制御部１００１は、キー１００９による操作にて周辺の風景や人物の画像をカメラ１００９から取り込むことができる。カメラ１００９から取り込んだ画像は、メイン表示パネル１００５ｍもしくは背面表示パネル１００５ｂに出力され、後日見るために記憶部１００４に格納することができる。さらに、カメラ１００９から取り込んだ画像は、無線部１００３を通じて別の携帯電話機やインターネット網を経由してパソコンなどの端末に送信することを可能とする。
【００４０】
次に、本発明の一実施の形態として、物の長さや、重さを測定する場合の動作について図面を参照して詳細に説明する。
【００４１】
長さや重さを測定するに先立ち、利用者が特定のキーを押下すると、制御部１００１は、メニューを表示パネルに表示する。利用者は、メニューから測定が長さなのか重さなのかを選択できる。
【００４２】
図３は、カメラ１００９と測定メジャー１００Ａを用いて長さを測定する際に制御部１００１が行う動作フローチャートである。このフローチャートはプログラムとして記憶部１００４に格納されている。利用者が、キー１００８を操作して、メニューから長さの測定を選択すると、制御部１００１が長さ測定のためのプログラムを読み出して測定可能にする。
【００４３】
なお、制御部１００１は、プログラムの機能をハードウエアとして構成してもよいことは、いうまでもない。以下の動作フローの説明では、制御部１００１の動作をハードウエア手段（特に図示していない）を用いて説明する。
【００４４】
制御部１００１は、長さの測定なので、張力変更手段（図示せず）により張力変更部１０１の測定メジャーの張力を予め決められた長さ測定用の値にセットする（Ｆ００１）。携帯電話機１００の使用者が、メジャーガイド１００Ｂをセットし、測定メジャー１００Ａの先端にあるリングを指に掛け、測定メジャー１００Ａを引き出す（Ｆ００２）。測定メジャー１００Ａをメジャーガイド１００Ｂに手で通すようにして引き出し、測定開始のため特定のキーを押下すると、制御部１００１の測定開始検出手段（図示せず）は、カメラ１００９を起動する。例えば、今、メジャー１００Ａにより計る長さＬの測定対象の両端を仮にＸＹとする。引き出されたメジャー１００Ａの任意のポイントＺを測定対象の端点Ｘにあわせ、特定のキーを押下すると、制御部１００１の測定開始検出手段（図示せず）は、カメラ１００９を起動する。起動したカメラ１００９は、カメラ１００９の上を通過する測定メジャー１００Ａに印された目盛り（たとえば、１ｍｍ毎に目盛られている）をスキャンする（Ｆ００３）。上述の例では、メジャー１００ＡのポイントＺが測定対象の端点Ｙに来るまでカメラ１００９は一定の周期（メジャーの引き出し速度より十分早く設定する）でスキャンを繰り返す。カメラ１００９のスキャン結果は、スキャンするたびに制御部１００１の長さ計算手段（図示せず）に送られる。制御部１００１の長さ計算手段は、スキャンされた画像から目盛りの認識を行い、カメラの前を通過した目盛りの数を勘定することにより引き出された測定メジャー１００Ａの長さを算出する（Ｆ００４）。制御部１００１の長さ計算手段は、スキャンした結果をみて、一定の時間目盛りの動きに変化がなくなれば、メジャー１００ＡのポイントＺが測定対象の端点Ｙに来たものと見なす。また、制御部１００１の長さ計算手段は、スキャンした結果をみて、目盛りの動き方向が逆になれば、測定メジャー１００Ａに巻き戻しがあったと見なす。そして、制御部１００１の長さ計算手段は、巻き戻された分だけ減算する。制御部１００１の表示手段（図示せず）は、長さ計算手段で算出した長さの値を、使用者が確認できるようメイン表示パネル１００５ｍに出力する（Ｆ００５）。続いて制御部１００１の確認手段（図示せず）は、表示パネル１００５ｍに出力された長さの値を記憶部１００４に格納するかどうかの確認画面を出力する（Ｆ００６）。測定した長さの値を記憶部１００４に格納する場合は、表示手段（図示せず）により記憶部１００４に格納するためのナビゲートとなる記録操作画面をメイン表示パネル１００５ｍに表示する（Ｆ００７）。この記録操作画面の内容に沿って使用者はキー１００８を操作すると、制御部１００１の記憶制御手段（図示せず）は、測定した値を記憶部１００４に格納する（Ｆ００８）。記憶部に格納した測定値は、後日再利用することが可能である。制御部１００１の確認手段（図示せず）は、記憶部１００４に値を格納した後、更に続けて測定するかどうかの確認画面をメイン表示パネル１００５ｍに出力する（Ｆ００９）。Ｆ００６にてメイン表示パネル１００５ｍに測定した長さの値を記憶部１００４に格納しない場合は、Ｆ００９に処理がジャンプする。Ｆ００９の確認画面に対し、続けて測定する場合は、Ｆ００２直前に処理が戻って測定を続行することができる。Ｆ００９の確認画面に対し、続けて測定しない場合は、制御部１００１の巻き戻し手段（図示せず）は、測定メジャー１００Ａを巻き戻し（Ｆ０１０）、測定を終了する。
【００４５】
次に、図４は、カメラ１００９を用いて重量を測定する際に制御部１００１が行うフローチャートである。このフローチャートはプログラムとして記憶部１００４に格納されている。利用者が、メニューから重量の測定を選択すると制御部１００１がこのプログラムを読み出して測定可能にする。
【００４６】
この場合も、制御部１００１は、プログラムの機能をハードウエアとして構成してもよいことは、いうまでもない。以下の動作フローの説明では、制御部１００１の動作をハードウエア手段（特に図示していない）を用いて説明する。
【００４７】
制御部１００１は、重量の測定なので、張力変更手段（図示せず）により張力変更部１０１の測定メジャーの張力を予め決められた重量測定用の値にセットする（Ｆ１０１）。携帯電話機１００の使用者が、メジャーガイド１００Ｂをセットして測定メジャー１００Ａを引き出しメジャーガイド１００Ｂにくぐらせた状態にする（Ｆ１０２）。
【００４８】
実際に測定を開始する場合、携帯電話機１００の測定メジャー１００Ａに測定対象物を引っ掛ける。そして、測定開始のため特定のキーを押下した後、測定対象物を吊り下げるように携帯電話機１００を保持する（Ｆ１０３）。測定対象物を吊り下げることで測定メジャーが下方に移動しカメラの上を通過する。その際、本発明の長さの測定の実施例と同様に、カメラ１００９が測定メジャーに印された目盛りをスキャンする。そして、スキャンした目盛りの数を制御部１００１の重量計算手段（図示せず）が勘定することにより重量を計測する（Ｆ１０４）。この、カメラ１００９による目盛りのスキャン、制御部１００１の重量計算手段による重量の計算は、原理的には、上述した長さ測定と同じである。なお、スキャンする目盛りを混同しないよう、長さ測定用目盛りと重量測定用目盛りのそれぞれの色または形状を変えるなどする必要がある。これにより、カメラ１００９からのスキャン結果の画像を、制御部１００１が認識し、制御部１００１は、目盛りの色または形状に応じて、それが長さの目盛りか、重量の目盛りかを判定する。制御部１００１で算出した重量の値は、使用者が確認できるよう表示手段（図示せず）によりメイン表示パネル１００５ｍに出力する（Ｆ１０５）。続いてメイン表示パネル１００５ｍに出力された重量の値を記憶部１００４に格納するかどうかの確認画面を確認手段（図示せず）により出力する（Ｆ１０６）。格納する場合、記憶部１００４に格納するためのナビゲートとなる記録操作画面を表示手段（図示せず）によりメイン表示パネル１００５ｍに表示する（Ｆ１０７）。この記録操作画面の内容に沿って使用者はキー１００８を操作することで測定した値を記憶部１００４に格納することができる（Ｆ１０８）。記憶部１００４に値を格納した後、更に続けて測定するかどうかの確認画面を確認手段（図示せず）によりメイン表示パネル１００５ｍに出力する（Ｆ１０９）。Ｆ１０６にて表示パネル１００５に測定した重量の値を記憶部１００４に格納しない場合は、Ｆ１０９に処理がジャンプする。Ｆ１０９の確認画面に対し、続けて測定する場合は、Ｆ１０３直前に処理が戻って測定を続行することができる。Ｆ１０９の確認画面に対し、続けて測定しない場合は、制御部１００１の巻き戻し手段（図示せず）は、測定メジャー１００Ａを巻き戻し（Ｆ１１０）、測定を終了する（Ｆ１１１）。
【００４９】
この実施例により、携帯電話機１００の使用者は、重量を測定し、後日その値を再利用することが可能になる。
【００５０】
また、上述の実施の形態では、確認画面や測定結果はメイン表示パネル１００５ｍに表示する方法であった。ここで、折り畳み式携帯電話機を折り畳んだ状態で、背面表示パネル１００５ｂに確認画面や測定値を表示させる方法であってもよいことは言うまでもない。
【００５１】
以上説明したように、本発明は、携帯電話機の内蔵カメラを用いて長さや重量を測ることができるようにした。その結果、携帯電話機機の容量や重量の増大を極力抑えることができ、いつでもどこでも、簡単に長さや、重さの測定が出来る実用的な携帯電話機を提供することが出来る。
【図面の簡単な説明】
【００５２】
【図１】本発明の一実施の形態を示す携帯電話機１００の外観図である。
【図２】本発明の携帯電話機１００の構成例を示すブロック図である。
【図３】カメラ１００９と測定メジャー１００Ａを用いて長さを測定する際に本発明の制御部１００１が行う動作フローチャートである。
【図４】カメラ１００９と測定メジャー１００Ａを用いて重量を測定する際に本発明の制御部１００１が行う動作フローチャートである。
【符号の説明】
【００５３】
１００    携帯電話機
１００Ａ    測定メジャー
１００Ｂ    メジャーガイド
１０１    張力変更部
１００１      制御部
１００２    電源
１００３    無線部
１００４    記憶部
１００５ｂ    背面表示パネル
１００５ｍ    メイン表示パネル
１００６    レシーバ
１００７    マイク
１００８    キー
１００９    カメラ
【図１】
0004626154.tif 000002
【図２】
0004626154.tif 000003
【図３】
0004626154.tif 000004
【図４】
0004626154.tif 000005